(57)【要約】【課題】義歯の形態を問わず、目的の清掃部位に確実に刷毛の毛先を当てることができ、容易且つ短時間に、義歯の汚れを落とすことができ、さらに、植毛部から周囲に洗浄剤が飛散するのを防止することができる電動義歯ブラシを提供すること。【解決手段】本発明は、植毛基面９ａ、１２ａに刷毛群が植設されて構成された第１植毛部２と第２植毛部３とを有するヘッド部７と、その周面が把持されるハンドル部５と、ヘッド部７とハンドル部５とを連結するネック部６とを備え、第１植毛部２が第１駆動機構によって往復回転運動するように構成されている。そして、第１植毛部２は、その刷毛１４が、広い平らな面を清掃するのに適した植毛条件とされ、第２植毛部３は、その刷毛１５が、狭く細かい部位や奥まった部位を清掃するのに適した植毛条件とされている。【選択図】図３
2010187997.tif 000002
【特許請求の範囲】
【請求項１】
植毛基面に刷毛群が植設されて構成された複数の植毛部が異なる箇所に設けられたヘッド部と、その周面が把持されるハンドル部と、前記ヘッド部と前記ハンドル部とを連結するネック部と、前記植毛部の少なくともいずれかを電力で駆動する駆動機構とを有し、
前記複数の植毛部は、互いに刷毛の植毛条件が異なることを特徴とする電動義歯ブラシ。
【請求項２】
前記ヘッド部の一の箇所に設けられた前記植毛部の各刷毛は、前記一の箇所以外の、少なくともいずれかの箇所に設けられた植毛部の各刷毛と毛先の方向が異なることを特徴とする請求項１に記載の電動義歯ブラシ。
【請求項３】
前記駆動機構によって駆動される前記植毛部は、その一部の刷毛群のみが前記駆動機構の作動によって運動し、他の刷毛群は静止状態であることを特徴とする請求項１又は２に記載の電動義歯ブラシ。
【請求項４】
静止状態の前記刷毛群は、前記駆動機構の作動によって運動する前記刷毛群の周りを囲むように植設されていることを特徴とする請求項３に記載の電動義歯ブラシ。
【発明の詳細な説明】
【技術分野】
【０００１】
本発明は、義歯の清掃に用いられ、植毛部が電気的に駆動される電動義歯ブラシに関する。
【背景技術】
【０００２】
一般的に、義歯の清掃には、手用義歯ブラシが使用されるが、口腔内の歯の清掃に用いられる手用歯ブラシを義歯ブラシとして代用することも多く行われている。以下に、一般的な手用歯ブラシ及び手用義歯ブラシについて説明する。
【０００３】
一般的な手用歯ブラシ１０１は、図１３、１４に示すように、一側面に複数の刷毛１０２ａが植設されたヘッド部１０２と、使用者が把持するハンドル部１０３と、ヘッド部１０２とハンドル部１０３とを連結するネック部１０４とを有している。このような手用歯ブラシ１０１では、使用者が、ハンドル部１０３を把持してヘッド部１０２を口腔内に挿入し、口腔内の限られた空間で、ヘッド部１０２の向きを様々に変えながら往復運動させることによって歯を清掃することができる。このため、手用歯ブラシ１０１は、口腔内でのヘッド部１０２の操作性を考慮して、ヘッド部１０２は小さく（植毛面積が小さく）、ネック部１０４は長く、ハンドル部１０３は細めに設計され、刷毛１０２ａはヘッド部１０２の片側にのみ設けられる。また、刷毛１０２ａは、その長さが７〜９milとされ、比較的柔軟なものとなっている。
【０００４】
そのため、手用歯ブラシ１０１を義歯用歯ブラシとして代用すると、例えば上顎総義歯が有する床のように広い平らな面を清掃する場合には、ヘッド部１０２の植毛面積が小さいため、清掃効率が悪く、清掃作業に手間と時間がかかってしまう。一方、維持装置（クラスプ等）を備え、狭く細かい部分や奥まった部分を有する部分義歯を清掃する場合には、このような部分に刷毛１０２ａの毛先が届き難いなど、仮に刷毛１０２ａの毛先が届いたとしても、刷毛１０２ａ全体が柔軟であるために、その場所で手を動かしながら毛先を操作しなくてはならず、上手く清掃することができないという不具合が生じる。
【０００５】
一方、手用義歯ブラシは、義歯を口腔外で清掃するものであるため、ヘッド部の寸法を比較的自由に設計することができる。このため、手用義歯ブラシ１０５は、例えば、図１５〜図１７に示すように、手用歯ブラシ１０１に比べてヘッド部１０６が大きめに設計される。そして、このヘッド部１０６の一方の側面に、植毛面積の大きい第１植毛部１０７が設けられ、他方の側面に、第１植毛部１０７に比べて植毛面積が小さく、且つ、長く硬めの刷毛が植設された第２植毛部１０８が設けられる。
【０００６】
このような手用義歯ブラシ１０５では、総義歯の広い平らな面を清掃する場合には、植毛面積の広い第１植毛部１０７を用いることにより、手用歯ブラシを使用する場合に比べて短時間に汚れを落とすことができる。また、狭く細かい部分や奥まった部分を有する部分義歯を清掃する場合には、長く硬めの刷毛が植設された第２植毛部１０８を用いることにより、目的の清掃部位に容易に毛先を当てることができ、この部位を効果的に清掃することができる。
しかし、このような手用義歯ブラシ１０５は、使用者が、義歯を把持し、固定しつつ、ハンドル部１０９を把持した状態で手を細かく動かすことによって義歯を清掃するものであり、作業が面倒であり、疲労感も伴う。このため、特に高齢者には不向きな問題がある。
【０００７】
これに対しては、植毛部を電力で駆動するように構成された電動歯ブラシを義歯の清掃に用いることが考えられる。この電動歯ブラシでは、使用者は、目的の清掃部位に植毛部が当たるようにハンドル部を操作するだけで、手を細かく動かすことなく、歯の清掃を行うことができる。このため、歯の清掃に要する労力を軽減することができる。
【０００８】
しかし、電動歯ブラシは、一般に、口腔内用の歯を清掃することを目的として設計されており、ヘッド部が小さめに設計され、このヘッド部の片側にのみ電動駆動される植毛部が設けられている（例えば、特許文献１参照）。このため、このような構成の電動歯ブラシを用いると、大型義歯の広い平らな部分を清掃する場合には、やはり時間がかかってしまう。
【０００９】
また、電力による駆動では、手動操作に比べて植毛部が高速で運動するため、植毛部に付けた洗浄剤（液、ペースト、粉末、固形物等）が周囲に飛散し易い問題がある。ここで、例えば、ヘッド部が口腔内に挿入された状態であれば、植毛部から洗浄剤が飛散しても口腔壁に当たるため、さらに周囲に洗浄剤が飛び散ることはない。しかし、義歯を清掃する場合には、そのような障壁がないために、植毛部から飛散した洗浄剤と汚れがさらに義歯の周りに飛び散り、周囲を汚してしまうおそれが高いものであった。
【先行技術文献】
【特許文献】
【００１０】
【特許文献１】特開２００５−１６０４９８号公報
【発明の概要】
【発明が解決しようとする課題】
【００１１】
本発明は前記した問題に鑑みて提案されたものであり、義歯の形態を問わず、目的の清掃部位に、刷毛の毛先を確実に当てることができ、少ない労力で、容易且つ短時間に義歯の汚れを落とすことができる電動義歯ブラシの提供を目的とする。さらに本発明は、上述の効果を得た上に、植毛部から周囲に洗浄剤や汚れが飛散するのを防止できる電動義歯ブラシを提供することを目的とする。
【課題を解決するための手段】
【００１２】
上記目的を達成するために、本発明は以下の構成を有する。
本発明は、植毛基面に刷毛群が植設されて構成された複数の植毛部が異なる箇所に設けられたヘッド部と、その周面が把持されるハンドル部と、前記ヘッド部と前記ハンドル部とを連結するネック部と、前記植毛部の少なくともいずれかを電力で駆動する駆動機構とを有し、前記複数の植毛部は、互いに刷毛の植毛条件が異なることを特徴とする電動義歯ブラシである。
本発明において前記ヘッド部の一の箇所に設けられた植毛部の各刷毛は、前記一の箇所以外の、少なくともいずれかの箇所に設けられた植毛部の各刷毛と毛先の方向が異なるものでも良い。
本発明において前記駆動機構によって駆動される前記植毛部は、その一部の刷毛群のみが前記駆動機構の作動によって運動し、他の刷毛群は静止状態である構成でも良い。
本発明は、静止状態の前記刷毛群は、前記駆動機構の作動によって運動する前記刷毛群の周りを囲むように植設されている構成でも良い。
【発明の効果】
【００１３】
本発明によれば、ヘッド部が、異なる箇所に設けられた複数の植毛部を有し、各植毛部の刷毛の植毛条件が互いに異なっているので、各植毛部を使い分けることにより、異なる形態の部位を、それぞれ効果的に清掃することができる。また、植毛部の少なくともいずれかが電力による駆動機構によって駆動されるため、その駆動される植毛部によって義歯を清掃する際、使用者は、その植毛部が目的の清掃部位に当たるようにハンドル部を把持しているだけで、手を細かく動かすことなく、義歯の汚れを落とすことができる。
このため、各植毛部を、それぞれ、例えば義歯の広い平らな面、狭く細かい部分や奥まった部分等に適した植毛条件とすれば、広い平らな面を有する義歯、狭く細かい部分や奥まった部分を有する義歯、広い平らな面と狭く細かい部分や奥まった部分の双方を有する義歯等の各種形態の義歯を、少ない労力で、容易且つ短時間に清掃することができ、付着した汚れを確実に落とすことができる。
【００１４】
前記ヘッド部の一の箇所に設けられた植毛部の各刷毛が、他の箇所に設けられた植毛部の各刷毛と毛先の方向が異なる場合には、一方の植毛部を用いて清掃を行っている際、他方の植毛部の各刷毛が義歯の一部（義歯床縁等）に当たることが防止される。このため、他方の植毛部が邪魔になることなく、一方の植毛部を用いて容易に義歯の清掃を行うことができる。
前記駆動機構によって駆動される植毛部において、その一部の刷毛群のみが駆動機構の作動によって運動し、他の刷毛群が静止状態である場合には、運動している刷毛群から洗浄剤が飛散しても、静止状態の刷毛群に当たって制止され、洗浄剤がさらに周囲に飛び散るのが防止される。
【００１５】
また、特に、静止状態の刷毛群が、駆動機構の作動によって運動する刷毛群の周りを囲むように植設されている場合には、静止状態の刷毛群が、洗浄剤の飛散をより効果的に制止する。その結果、運動している刷毛群から飛散した洗浄剤と汚れが周囲に飛び散ることをより確実に防止できる。
【図面の簡単な説明】
【００１６】
【図１】本発明に係る電動義歯ブラシの第１実施形態を前方から見た側面図である。
【図２】図１に示す電動義歯ブラシを後方から見た側面図である。
【図３】図１に示す電動歯ブラシを横から見た側面図である。
【図４】本発明に係る電動義歯ブラシの第２実施形態を前方から見た側面図である。
【図５】図４に示す電動義歯ブラシを後方から見た側面図である。
【図６】図４に示す電動歯ブラシを横から見た側面図である。
【図７】本発明に係る電動義歯ブラシの第３実施形態を前方から見た側面図である。
【図８】図７に示す電動義歯ブラシを後方から見た側面図である。
【図９】図７に示す電動歯ブラシを横から見た側面図である。
【図１０】本発明に係る電動義歯ブラシの第３実施形態を前方から見た側面図である。
【図１１】図１０に示す電動義歯ブラシを後方から見た側面図である。
【図１２】図１０に示す電動歯ブラシを横から見た側面図である。
【図１３】従来の手用歯ブラシの一例を前方から見た側面図である。
【図１４】図１３に示す手用歯ブラシを横から見た側面図である。
【図１５】従来の手用義歯ブラシの一例を前方から見た側面図である。
【図１６】図１５に示す手用義歯ブラシを後方から見た側面図である。
【図１７】図１５に示す手用義歯ブラシを横から見た側面図である。
【発明を実施するための形態】
【００１７】
以下、本発明を適用した電動義歯ブラシについて、図面を参照して詳細に説明する。なお、以下の説明で用いる図面は、本発明の特徴を理解し易くするために、特徴となる部分を模式的に示している場合があり、各構成要素の形状や寸法比率などが特に制限されるものではない。
（第１実施形態）
まず、本発明の電動義歯ブラシの第１実施形態について説明する。
図１は、第１実施形態の電動義歯ブラシを前方から見た側面図、図２は、図１に示す電動義歯ブラシを後方から見た側面図、図３は、図１に示す電動義歯ブラシを横方向から見た側面図である。なお、以下では、図３における下方を「前方」、上方を「後方」として説明する。
図１〜図３に示すように、電動義歯ブラシ１Ａは、第１植毛部２と第２植毛部３とを備え、第１植毛部２が駆動機構の作動によって往復回転運動するものである。この電動義歯ブラシ１Ａは、駆動機構が内蔵された本体部４を備え、この本体部４は、ハンドル部５と、ハンドル部５の一端から軸線方向に延長されたネック部６とヘッド部７とを有している。なお、先のネック部６がハンドル部５から着脱自在とされてブラシ交換できるように構成されるのが一般的であるが、ハンドル部５とネック部６とヘッド部７が一体的に構成された構造であっても良いのは勿論である。
【００１８】
ハンドル部５は、使用者が把持する部分であり、その形状については特に限定されないが、例えば略円柱状を為している。このハンドル部５の内部は、駆動モータや、駆動モータの回転運動をハンドル部５の軸線方向の往復直線運動に変換する第１運動変換機構、駆動モータに電力を供給する内部電源（いずれも図示せず）等が配置された水密構造となっている。
内部電源としては、例えばニッケルカドミウム電池やニッケル水素電池、リチウムイオン電池等の二次電池（バッテリ）を搭載することが可能である。また、内部電源として二次電池を搭載する場合には、外部電源（商用電源）から充電器を介して内部電源への充電が可能である。この場合、無接点充電方式を用いた方が、使用性が高く安全性の点で望ましい。なお、内部電源としては、上述した二次電池の他にも、例えば一次電池（単３又は単４の乾電池）を交換可能に搭載する構成としてもよい。
また、ハンドル部５の側面には、使用者が押圧操作する操作ボタン８が設けられている。操作ボタン８が押圧操作されると、内部電源と駆動モータとの間に設けられたスイッチがこれと連動して作動し、内部電源と駆動モータとの接続／非接続が切り替わる。
【００１９】
ネック部６は、ハンドル部５とヘッド部７との間を連結する部分である。ネック部６は、細長く、若干、先細り形状を有しており、図１〜図３に示すようなストレート形状に限らず、窪んだ部分に届き易いように緩やかなカーブ形状としてもよい。また、ネック部６の幅又は厚みは、操作性と強度を考慮して、４〜１２ｍｍの範囲とすることが好ましく、さらに好ましくは５〜９ｍｍの範囲である。ネック部６の内部には、第１運動変換機構の往復直線運動を後述する第２運動変換機構に伝達する図示しないシャフト等が配置されている。なお、ネック部６及びハンドル部７を交換自在な構成とする場合は、ハンドル部５の先端側に、図示を省略するが、ネック部６を着脱自在に取り付けるための取付機構等が設けられており、シャフトの先端には、後述するネック部６に内蔵された第２運動変換機構と連結するための連結機構等が設けられている。
ヘッド部７は、ネック部６と連通するケーシング９と、ケーシング９の前方側（図３中下側）に回動自在に支持された第１植毛部２と、ケーシング９の後方側（図３中上側）の傾斜面９ａに固定して設けられた第２植毛部３とを有する。
【００２０】
ケーシング９は、義歯を清掃し易い形状や大きさであればよく、その形状について特に限定されないが、本実施形態では、後方側となる端面が膨大した略扁平円柱状を為している。このケーシング９は、ネック部６の軸線方向に対してその円柱軸が略直交するようにネック部６に取り付けられている。
ケーシング９の内部には、シャフトによって伝達された往復直線運動を往復回転運動に変換する図示しない第２運動変換機構等が内蔵されている。また、ケーシング９の前方側の壁部の略中心には、後述する第１植毛部２の回動軸１０が回動可能に支持される軸孔１１が穿設されている。本実施形態では、前述の第１運動変換機構、シャフト及び第２運動変換機構が、第１植毛部２を往復回転運動させる駆動機構を構成する。
【００２１】
第１植毛部２は、第２運動変換機構の作動により往復回転運動するものである。
第１植毛部２は、その一主面が第１植毛基面１２ａとされた円盤状の植毛プレート１２と、植毛プレート１２の第１植毛基面１２ａに植設された複数の刷毛１４と、植毛プレート１２の第１植毛基面１２ａと反対側の主面（他方の主面）１２ｂに設けられた回動軸１０を有する。
植毛プレート１２は、他方の主面１２ｂの回動軸１０以外の領域が、ケーシング９の前端面９ｂに対して僅かに離間するように配設されている。この植毛プレート１２の厚みは、１〜５ｍｍ程度が好ましく、より好ましくは２〜３．５ｍｍ程度である。
【００２２】
回動軸１０は、植毛プレート１２の他方の主面１２ｂの略中心に設けられている。回動軸１０は、ケーシング９の軸孔１１に挿通されて回動可能に支持されており、これにより、第１植毛部２はケーシング９の前方側に回動可能に支持される。回動軸１０の端部は、ケーシング９内に侵入し、ピンやフック等によって第２運動変換機構と連結されている。この回動軸１０は、第２運動変換機構の作動によって往復回転運動する。これにより植毛プレート１２が往復回転運動し、該植毛プレート１２に植設された各刷毛１４が植毛プレート１２（回動軸１０）の中心を公転中心として往復公転運動する。
【００２３】
ケーシング９の後端面は、傾斜面９ａを有し、この傾斜面９ａに複数の刷毛１５が植毛されている。本実施形態では、この複数の刷毛１５が植設された傾斜面９ａが第２植毛基面９ａを構成し、この第２植毛基面９ａに植設された刷毛群が第２植毛部３を構成する。ここでは、第２植毛基面９ａは、第１植毛基面１２ａよりも面積が小さく形成されており、第２植毛部３の各刷毛１５の毛先方向は、第１植毛部２の各刷毛１４の毛先方向に対して斜め後方向となっている。
【００２４】
第１植毛部２と第２植毛部３とで各刷毛１４、１５の毛先方向が異なることにより、一方の植毛部２、３を用いて清掃を行っている間に、他方の植毛部２、３の各刷毛１４、１５が義歯の一部（義歯床縁等）に当たることが防止される。このため、他方の植毛部２、３が邪魔になることなく、一方の植毛部２、３を用いて円滑に義歯の清掃を行うことができる。ここで、第１植毛部２の各刷毛１４の毛先方向と第２植毛部３の各刷毛１５の毛先方向との関係は、具体的には、一方の植毛部２、３の毛先方向に対する他方の植毛部２、３の毛先方向が、背面方向、側面方向、斜め前方向、斜め後ろ方向であるのが好ましい。これにより、前述の効果を確実に得ることができる。
【００２５】
次に、第１植毛部２と第２植毛部３の各刷毛１４、１５について説明する。本発明では、第１植毛部２及び第２植毛部３には、それぞれ、他方の植毛部２、３と異なる植毛条件で刷毛１４、１５が植設されている。ここで、刷毛１４、１５の植毛条件とは、植毛面積、刷毛の形状（縦断面形状、横断面形状、毛先形状等）、刷毛の毛丈及び太さ（刷毛径）、植毛密度（植毛本数／面積）、刷毛の植設パターン、毛束の束ね形状、刷毛の植毛方法等に関するものであり、これら各項目は目的とする清掃部位の形態によって最適条件が異なる。したがって、各植毛部２、３における刷毛１４、１５の植毛条件は、その目的とする清掃部位に応じて設定するのが好ましい。本実施形態では、第１植毛部２は、第２植毛部３よりも植毛面積が大きく、電力による駆動によって往復回転運動するように構成されていることから、義歯の広い平らな面を清掃するのに適しており、第２植毛部３は、第１植毛部２よりも植毛面積が小さいことから、義歯の狭く細い部分や奥まった部分を清掃するのに適している。したがって、ここでは、第１植毛部２が広い平らな面を清掃対象とし、第２植毛部３が狭く細い部分や奥まった部分を清掃対象としているものとして、各植毛部２、３の刷毛１４、１５の植毛条件について説明する。
【００２６】
各刷毛１４、１５は、その材質について特に限定されないものの、例えばポリアミド（例：６−１０ナイロン、６−１２ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料を挙げることができる。また、これらの樹脂材料を複数組み合わせて用いてもよく、例えば芯鞘構造などのように、芯部と鞘部で異なる樹脂材料を用いることもできる。
【００２７】
また、各刷毛１４、１５の構成材料として、これらの樹脂材料に、セラミックファイバーや研磨材（例：金属酸化物、シリカ、炭化ケイ素等）を混ぜ（練り）込んだ複合材料を用いるようにしても良い。これにより、義歯に対する清掃効果を向上させることができる。ただし、複合材料における研磨材の配合量が多くなり過ぎると、義歯への為害性（磨耗性・傷等）が問題となってくる。すなわち、義歯は、一般に、樹脂、金属、セラミック等から構成されており、義歯材料のほとんどを占める樹脂及び金属は柔らかいため磨耗し易く、傷がつきやすい。義歯の表面が磨耗や傷によって荒れていると汚れが付きやすくなるため、不衛生となったり、義歯の損傷・破損（折れ、割れ等）の原因となったりする。このため、複合材料に添加する研磨材の材質、大きさ、配合量は、これらのことを考慮して設定することが必要である。
【００２８】
各刷毛１４、１５の縦断面形状は、通常は円形であるが、そのような形状に限定されるものではなく、例えば、楕円形、三角形、四角形、六角形、星型、三つ葉のクローバー形、四葉のクローバー形など任意の形状とすることができる。
また、各刷毛１４、１５の横断面形状は、通常は長手方向の辺縁が平行な直線状であるが、そのような形状に限定されるものではなく、振幅及び波長が規則的な波状などであってもよい。さらに、周面に凹凸を有する刷毛、例えばクリンプ加工やエンボス加工等が施された刷毛を用いることもできる。
【００２９】
また、各刷毛１４、１５の毛切形状は、一般的な平切り状の他、ドーム状、山切り状など、任意の形状とすることができる。このうち、特に、義歯の広い平らな面を清掃することを目的とする植毛部（本実施形態では第１植毛部２）の場合には、毛先形状が平切り状や緩やかなドーム状の刷毛を用いるのが好ましい。これにより、このような義歯の広い平らな面を、効率的に清掃することができる。また、部分床義歯が備える維持装置の根元部のように、狭い部位や深い部位を清掃することを目的とする植毛部（本実施形態では第２植毛部３）の場合には、毛切形状が尖った山切り形状（１山の円錐状等）を用いるのが好ましい。これにより、このような狭い部位や深い部位に、刷毛先端を容易に当てることができ、効果的に清掃を行うことができる。
なお、各植毛部２、３を構成する複数の刷毛１４、１５は、それぞれ、同じ形状（縦断面形状、横断面形状、毛先形状等）であってもよく、形状の異なる複数種の刷毛が組み合わされていても構わない。
【００３０】
各刷毛１４、１５の毛丈は、各植毛基面１２ａ、９ａから７〜２５ｍｍが好ましく、さらに好ましくは１０〜２０ｍｍの範囲である。このうち、特に、義歯の広い平らな面を清掃することを目的とする第１植毛部２の場合には、１２〜１５ｍｍの毛丈であるのが好ましい。また、部分床義歯が備える維持装置の根元部のように、狭い部位や深い部位を清掃することを目的とする第２植毛部３の場合には、２０ｍｍ程度の毛丈であるのが好ましい。これにより、このような狭い部位や深い部位に、刷毛１５の毛先を容易に当てることができ、効果的に清掃を行うことができる。なお、各植毛部２、３を構成する複数の刷毛１４、１５は、それぞれ、毛丈が同じであってもよく、毛丈の異なる刷毛が組み合わされていても構わない。本実施形態では、第１植毛部２では、各刷毛１４が略等しい毛丈とされており、第２植毛部３では、各刷毛１５は、第２植毛基面９ａの中心部にいく従って毛丈が段階的に長くなるような長さとされている。これにより、第１植毛部２では、広い平らな面をより効率よく清掃することができ、第２植毛部３では、狭く細い部分や奥まった部分を容易且つきれいに清掃することができる。
【００３１】
各刷毛１４、１５の太さ（刷毛径）は０．１５ｍｍ〜０．３８ｍｍであることが好ましく、さらに好ましくは０．２０ｍｍ〜０．３３ｍｍの範囲である。このうち、特に、義歯の広い平らな面を清掃することを目的とする第１植毛部２の場合には、刷毛１４にタワミが必要であるため０．１５〜０．２３ｍｍの太さであるのが好ましい。一方、部分床義歯が備える維持装置の根元部のように、狭い部位や深い部位を清掃する場合には、刷毛が細いとコシが弱いため、刷毛の先端部が狙った（清掃したい）場所に届かない。そのため、このように狭い部位や深い部位を清掃することを目的とする第２植毛部３の場合には、０．２５〜０．３３ｍｍの太さであるのが好ましい。なお、各植毛部２、３を構成する複数の刷毛１４、１５は、それぞれ、太さが同じであってもよいが、清掃部位（平らな面や凹凸がある面、広い面や狭い面、浅い凹凸・深い凹凸等）、清掃効果、耐久性、及び義歯材料（樹脂、金属、セラミック）に対する為害性（傷、磨耗）等を考慮して、太さの異なる複数の刷毛を任意に組み合わせても良い。
【００３２】
なお、第１植毛基面１２ａ及び第２植毛基面９ａには、通常、複数の刷毛１４、１５が束ねられた毛束が、同心円状、格子状、千鳥状に所定の間隔で複数並んで配置されるが、これら毛束の配置や間隔、それらの組み合わせ等については、特に限定されるものではなく、目的用途に応じて任意に設定することができる。
また、毛束は、通常は複数本の刷毛１４、１５を略円形状に束ねたものを用いるが、このように略円形状に束ねたものに限らず、略三角形や略四角形などの略多角形状に束ねてもよく、さらに、略楕円形状や、略長円形状、略長方形状などの長径と短径が異なる形状に束ねたものを用いてもよい。
【００３３】
各刷毛１４、１５の植毛方法としては、各刷毛１４、１５の毛束を二つ折りにし、その間に平線（例：金属）を挟んで各植毛基面９ａ、１２ａに設けられた植毛穴に固定する平線植毛法や、各刷毛１４、１５の下端を各植毛基面９ａ、１２ａとなる溶融樹脂中に圧入して固定する熱融着法、各刷毛１４、１５の下端を加熱して溶融塊を形成した後に、金属のキャビティ内に溶融樹脂を充填して各植毛基面９ａ、１２ａ（プレート１２）と一体に成形するインモールド法などを用いることができる。
【００３４】
これら各項目のうち、植毛面積、刷毛の毛丈及び太さ、植毛密度は植毛部の「かたさ」に大きく影響し、特に刷毛の太さは、植毛部の「かたさ」を決める主因子となる。このため、第１植毛部２と第２植毛部３の刷毛１４、１５の植毛条件を設定するに当たっては、特に、これらの項目について異ならしめることが好ましい。これにより、第１植毛部２及び第２植毛部３を、それぞれが目的とする清掃部位を清掃するのに最適なものとすることができる。
【００３５】
以上のような電動義歯ブラシ１Ａでは、操作ボタン８を押圧操作して内部電源と駆動モータとの電気的接続をＯＮにすると、駆動モータが回転し、この回転運動が第１運動変換機構の作動によって往復直線運動に変換される。この往復直線運動は、シャフトによって第２運動変換機構に伝達され、第２運動変換機構の作動によって往復回転運動に変換される。これにより、第２運動変換機構に連結された植毛プレート１２が回動軸１０を中心に往復回転運動し、該植毛プレート１２に植設された各刷毛１４が植毛プレート１２の中心を公転中心として往復公転運動する、すなわち第１植毛部２が駆動状態となる。
【００３６】
このような電動義歯ブラシ１Ａを用いて、例えば、義歯の広い平らな面を清掃する場合には、使用者は、ハンドル部６を把持して、操作ボタン８の押圧操作し、第１植毛部２を駆動状態にする。そして、第１植毛部２を目的とする清掃部位に当てる。ここで、この電動義歯ブラシ１Ａでは、第１植毛部２は、広い平らな面を清掃するのに適した植毛条件とされており、且つ、電力による駆動によって往復回転運動しているので、広い平らな面を、少ない労力で、容易且つ短時間に清掃することができる。また、義歯の狭く細い部分や奥まった部分を清掃する場合には、使用者は、操作ボタン８を押圧操作して第１植毛部２の駆動状態をＯＦＦにし、第２植毛部３を目的とする清掃部位に当てた状態で手を細かく動かす。ここで、第２植毛部３は、狭く細い部分や奥まった部分を清掃するのに適した植毛条件とされているので、部分義歯が備える維持装置の根元のように、狭く細かい部位や奥まった部位に容易に刷毛の毛先を当てることができ、このような部位を、容易且つ短時間に清掃することができる。
【００３７】
したがって、このような電動義歯ブラシ１Ａによれば、これ１本で、「広い平らな面を有する総義歯」や「維持装置があり、狭い細かな部分が多い部分義歯」、さらには「広く平らな面」と「深く奥まった凹み」の双方を有する義歯、例えば、「顎堤部を有する義歯」や「平らな面と複雑な維持装置のある部分義歯」等の各種形態の義歯を、少ない労力で、容易且つ短時間に清掃することができ、付着した汚れをきれいに落とすことができる。
【００３８】
＜第２実施形態＞
次に、本発明に係る電動義歯ブラシの第２実施形態について説明する。なお、第２実施形態においては、前記第１実施形態と同様の構成についてはその説明を省略する。
図４は、本発明に係る第２実施形態の電動義歯ブラシを前方から見た側面図、図５は、図４に示す電動義歯ブラシを後方から見た側面図、図６は、図４に示す電動義歯ブラシを横方向から見た側面図である。なお、ここでは図６における下方を「前方」、上方を「後方」として説明する。
【００３９】
図４〜図６に示す電動義歯ブラシ１Ｂは、第１植毛部２とともに第２植毛部３が駆動機構の作動によって往復回転運動するように構成されている以外は、前記第１実施形態の電動義歯ブラシ１Ａと同様である。
ハンドル部５は、前記第１実施形態と同様の形状とされており、その内部に、第１駆動機構を構成する駆動モータ及び第１運動変換機構と、第２駆動機構を構成する駆動モータ及び第１運動変換機構と、内部電源等が配置されている。
ハンドル部５の側面には、使用者が押圧操作する第１操作ボタン１６及び第２操作ボタン１７が設けられている。第１操作ボタン１６が押圧操作されると、第２駆動機構において内部電源と駆動モータとの間に設けられたスイッチがこれと連動して作動し、内部電源と駆動モータとの接続／非接続が切り替わる。これにより、第２駆動機構による第２植毛部３の駆動／停止が切り替わる。また、第２操作ボタン１７が押圧操作されると、第１駆動機構において内部電源と駆動モータとの間に設けられたスイッチがこれと連動して作動し、内部電源と駆動モータとの接続／非接続が切り替わる。これにより、第１駆動機構による第１植毛部２の駆動／停止が切り替わる。このように、第１植毛部２と第２植毛部３の駆動／停止が別々の操作ボタン１６、１７によって切り替わるように構成されていることにより、例えば、使用したい植毛部２、３を駆動状態とし、使用しない植毛部２、３を停止状態とすることや、両方の植毛部２、３を同時に駆動状態とすることができる。前者の状態とすることにより、使用しない植毛部２、３の空運転による内部電源のエネルギー消耗を抑制することができる。また、後者の状態とすることにより、使用する植毛部２、３を瞬時に変更したい場合に、スイッチ操作することなく他方の植毛部２、３を用いることができるため効率的である。また、操作性の点から、駆動／停止する植毛部と、操作ボタンの配置は適宜配置しても良い。
【００４０】
ヘッド部７は、ケーシング９と、ケーシング９の前方側（図６中下側）に回動自在に支持された第１植毛部２と、後方（図６中上側））の傾斜面９ａ側に回動自在に支持された第２植毛部３とを有する。
ケーシング９は、傾斜面９ａを構成する壁部に刷毛が植設されておらず、その代わりに軸孔１８が穿設されている以外は、前記第１実施形態と同様の形状とされており、その内部に、第１駆動機構を構成する第２運動変換機構及び第２駆動機構を構成する第２運動変換機構が内蔵されている。
【００４１】
第１植毛部２は、前記第１実施形態と同様の構成とされている。第２植毛部３は、第２駆動機構の第２運動変換機構の作動により往復回転運動するものであり、ケーシング９の後方の傾斜面９ａ側に回動自在に支持されている。
第２植毛部３は、その一主面が第２植毛基面１９ａとされた円盤状の植毛プレート１９と、植毛プレート１９の第２植毛基面１９ａに植設された複数の刷毛１５と、植毛プレート１９の第２植毛基面１９ａと反対側の主面（他方の主面）１９ｂに設けられた回動軸２０を有する。植毛プレート１９は、第１植毛部２の植毛プレート１２よりも小径とされている。
植毛プレート１９は、他方の主面１９ｂの回動軸２０以外の領域が、ケーシング９の後方側の傾斜面９ａに対して僅かに離間するように配設されている。
【００４２】
回動軸２０は、植毛プレート１９の他方の主面１９ｂの略中心に設けられている。回動軸２０は、傾斜面９ａを構成する壁部の軸孔１８に挿通されて回動可能に支持されており、これにより、第２植毛部３はケーシング９の後方の傾斜面９ａ側に回動可能に支持される。回動軸２０の端部は、ケーシング９内に侵入し、ピンやフック等によって第２駆動機構の第２運動変換機構と連結されている。この回動軸２０は、第２運動変換機構の作動によって往復回転運動する。これにより植毛プレート１９が往復回転運動し、該植毛プレート１９に植設された各刷毛１５が植毛プレート１９（回動軸２０）の中心を公転中心として往復公転運動する。
第２植毛部２の刷毛１５の植毛条件は、前記第１実施形態と同様である。
【００４３】
以上のような電動義歯ブラシ１Ｂでは、第１操作ボタン１６と第２操作ボタン１７とを押圧操作して、第１植毛部２あるいは第２植毛部３を回転運動させて使用する。この第２実施形態においても、前記第１実施形態と同様の作用・効果が得られる。
また、第２実施形態の電動義歯ブラシ１Ｂでは、特に、第１植毛部２とともに第２植毛部３も電力による駆動によって往復回転運動するので、第２植毛部３を用いて義歯を清掃する場合に、使用者は、ハンドル部５を把持して第２植毛部３を目的とする清掃部位（狭く細かい部分や奥まった部分等）に当てるだけで、手を細かく動かすことなく、この部位をきれいに清掃することができる。このため、義歯を清掃する際の疲労感をより軽減することができ、また、義歯の狭く細かい部分や奥まった部分に付着した汚れを、より確実に落とすことができる。
【００４４】
＜第３実施形態＞
次に、電動義歯ブラシの第３実施形態について説明する。なお、第３実施形態においては、前記第１実施形態及び前記第２実施形態と同様の構成についてはその説明を省略する。
図７は、本発明に係る第３実施形態の電動義歯ブラシを前方から見た側面図、図８は、図７に示す電動義歯ブラシを後方から見た側面図、図９は、図７に示す電動義歯ブラシを横方向から見た側面図である。なお、以下では、図９における下方を「前方」、上方を「後方」として説明する。
図７〜図９に示す電動義歯ブラシ１Ｃは、ケーシング９の形状、第２植毛部３及び第２操作ボタン１７の配設位置が異なる以外は、前記第２実施形態の電動義歯ブラシ１Ｂと同様である。
【００４５】
この電動義歯ブラシ１Ｃでは、第２操作ボタン１７がハンドル部５の側面に設けられている。
ケーシング９は、周面の先端側が膨大した略扁平円柱状を為している。ケーシングの膨大した周面は、前方にいくに従って基端側となるように（図９中、下方にいくに従って右側となるように）傾斜した傾斜面９ｃを有し、この傾斜面９ｃを構成する周壁に、後述する第２植毛部３の回動軸２０が回動可能に支持される軸孔２１が穿設されている。第１植毛部２は、前記第２実施形態と同様の構成とされ、同様の位置に配設されている。
【００４６】
第２植毛部３は、前記第２実施形態と同様の構成とされているが、本実施形態では先端の傾斜面９ｃ側に配設され、第２植毛部３の各刷毛１５の毛先方向は、第１植毛部２の各刷毛１４の毛先方向に対して斜め前方向となっている。
以上のような電動義歯ブラシ１Ｃでは、第１操作ボタン１６を押圧操作して第２植毛部３を回転駆動して使用し、第２操作ボタン１７を押圧操作して第１植毛部２を回転駆動して使用する。この第３実施形態においても、前記第２実施形態と同様の作用・効果が得られる。
【００４７】
＜第４実施形態＞
次に、電動義歯ブラシの第４実施形態について説明する。なお、第４実施形態においては、前記第１実施形態及び第２実施形態と同様の構成についてはその説明を省略する。
図１０は、本発明に係る第４実施形態の電動義歯ブラシを前方から見た側面図、図１１は、図１０に示す電動義歯ブラシを後方から見た側面図、図１２は、図１１に示す電動義歯ブラシを横方向から見た側面図である。なお、以下では、図１２における下方を「前方」、上方を「後方」として説明する。
【００４８】
図１０〜図１２に示す電動義歯ブラシ１Ｄは、第１植毛部２において、内周側の領域に植設された各刷毛２２のみが第１駆動機構の作動によって往復回転運動するように構成され、外周側の領域に植設された各刷毛２３は静止状態となっている以外は、前記第２実施形態の電動義歯ブラシ１Ｂと同様である。この電動義歯ブラシ１Ｄにおいて、ケーシング９は、その前端面に、平面視で円状の凹部２４が設けられ、凹部２４の周囲が円環状の周壁部２５となっている以外は、前記第２実施形態と同様の形状とされている。この凹部２４の底部２４ａの略中心には、後述する第１植毛部２の駆動部２９の回動軸２７が回動可能に支持される軸孔２８が穿設されている。
【００４９】
第１植毛部２は、第１駆動機構の作動によって往復回転運動する駆動部２９と、該駆動部２９の周りを囲むように配設された固定部３０とを有している。
駆動部２９は、その一主面が植毛基面３１ａとされた円盤状の植毛プレート３１と、植毛プレート３１の植毛基面３１ａに植設された複数の刷毛２２と、植毛プレート３１の植毛基面３１ａと反対側の主面（他方の主面）３１ｂに設けられた回動軸２７を有する。
植毛プレート３１は、その外径がケーシング９の凹部２４の内径よりも僅かに小径とされており、他方の主面３１ｂの回動軸２７以外の領域が、凹部２４の底部２４ａに対して僅かに離間するように、凹部２４内に嵌入されている。
【００５０】
回動軸２７は、植毛プレート３１の他方の主面３１ｂの略中心に設けられている。回動軸２７は、凹部２４の底部２４ａに穿設された軸孔２８に挿通されて回動可能に支持されており、これにより、駆動部２９はケーシング９の凹部２４内に回動可能に支持されている。回動軸２７の端部は、ケーシング９内に侵入し、ピンやフック等によって第１駆動機構の第２運動変換機構と連結されている。この回動軸２７は、第２運動変換機構の作動によって往復回転運動する。これにより植毛プレート３１が往復回転運動し、該植毛プレート３１に植設された各刷毛２２が植毛プレート３１（回動軸２７）の中心を公転中心として往復公転運動する。
【００５１】
ケーシング９の周壁部２５には、駆動部２９の周りを囲むように、複数の刷毛２３が植設されている。本実施形態では、この複数の刷毛２３が植設された周壁部２５の表面２５ａが固定部用の植毛基面２５ａを構成し、この植毛基面２５ａに植設された刷毛群が固定部３０を構成する。すなわち、固定部３０の各刷毛２３は、ケーシングの周壁部２５に直接設けられ、第２運動変換機構に連結されていない。
第１植毛部２の駆動部２９及び静止部３０の刷毛２２、２３の植毛条件は、前記第１実施形態の第１植毛部２と同様である。
また、第２植毛部は、前記第２実施形態と同様の構成とされ、同様の位置に配設されている。
【００５２】
以上のような電動義歯ブラシ１Ｄでは、第２操作ボタン１７を押圧操作して第１駆動機構の内部電源と駆動モータとの電気的接続をＯＮにすると、第１駆動機構が作動状態になる。ここで、本実施形態の第１植毛部２では、駆動部２９のみが第２運動変換機構に連結され、固定部３０はケーシング９に直接設けられ、第２運動変換機構に連結されていないことにより、第１駆動機構が作動状態になると、第１植毛部２の駆動部２９のみが往復回転運動し、固定部３０は静止状態のままである。また、第１操作ボタン１６を押圧操作して内部電源と駆動モータとの電気的接続をＯＮにすると、第２駆動機構が作動状態になり、第２植毛部３がその回動軸２０を中心にして往復回転運動する。
この第４実施形態においても、前記第２実施形態と同様の作用・効果を得ることができる。
また、第４実施形態では、特に、第１植毛部２は、その内周側の領域（駆動部２９）のみが第１駆動機構の作動により往復回転運動し、外周側の領域（静止部３０）が静止状態を保持するように構成されていることにより、次のような効果が得られる。
すなわち、第１植毛部２は広い平らな面を清掃対象としていることから、第２植毛部３よりも植毛面積が比較的広く設定されるが、植毛面積が広いと、植毛部を往復回転運動させたときに、回転中心部から遠い部分（外周側の刷毛）ほど遠心力が強く働き、植毛部に付着させた洗浄剤（液、ペースト・粉末・固形物等）と洗浄した汚れが周囲に飛散し易い。
【００５３】
これに対して、本実施形態のように、第１植毛部２の内周側の領域（可動部２９）のみが第１駆動機構の作動によって往復回転運動するように構成され、外周側の領域（静止部３０）が静止状態となっていると、往復回転運動している可動部２９から洗浄剤や汚れが飛散しても、その周囲に設けられた静止部３０の刷毛２３に当たって制止され、周囲に飛び散るのが防止される。従って、第１植毛部２によって、少ない労力で、容易且つ短時間に義歯を清掃することができるとともに、その際に、洗浄剤と除去した汚れによって周囲が汚れるのを抑制できる。
以上、本発明の電動義歯ブラシの具体的な実施形態について説明したが、前記各実施形態において、電動義歯ブラシの構成は一例であって、本発明の範囲を逸脱しない範囲で適宜変更することができる。
例えば、前記各実施形態では、第１植毛部及び／または第２植毛部は、駆動機構の作動によって往復回転運動するように構成されているが、これら植毛部の運動方式は、一方向の回転運動、直線方向の往復運動、振動またはこれらの組み合わせによる運動であってもよい。
【実施例】
【００５４】
以下、実施例により本発明の効果をより明らかなものとする。なお、本発明は、以下の実施例に限定されるものではなく、その要旨を逸脱しない範囲で適宜変更して実施することができる。
（実施例１）
図１〜図３に示す第１植毛部及び第２植毛部を有し、このうち第１植毛部のみが駆動機構によって駆動されるように構成された電動義歯ブラシを製造した。第１植毛部及び第２植毛部の刷毛の植毛条件を表２に示す。
（実施例２）
図４〜図６に示す第１植毛部及び第２植毛部を有し、これら植毛部の両方が駆動機構によって駆動されるように構成された電動義歯ブラシを製造した。第１植毛部及び第２植毛部の刷毛の植毛条件を表２に示す。
【００５５】
（実施例３）
図７〜図９に示す第１植毛部及び第２植毛部を有し、これら植毛部の両方が駆動機構によって駆動されるように構成された電動義歯ブラシを製造した。第１植毛部及び第２植毛部の刷毛の植毛条件を表２に示す。
（実施例４）
図１０〜図１２に示す第１植毛部及び第２植毛部を有し、第１植毛部の可動部と第２植毛部が駆動機構によって駆動されるように構成された電動義歯ブラシを製造した。第１植毛部及び第２植毛部の刷毛の植毛条件を表２に示す。
【００５６】
（比較例１）
植毛部を１つのみ有する手用歯ブラシを用意した。植毛部の刷毛の植毛条件を表２に示す。
（比較例２）
第１植毛部及び第２植毛部を有する手用歯ブラシを用意した。第１植毛部及び第２植毛部の刷毛の植毛条件を表２に示す。
（比較例３、４）
植毛部を１つのみ有し、この植毛部が駆動機構によって駆動されるように構成された電動歯ブラシを用意した。植毛部の刷毛の植毛条件を表２に示す。
（比較例５）
植毛部を１つのみ有し、この植毛部が駆動機構によって駆動されるように構成された電動義歯ブラシを用意した。植毛部の刷毛の植毛条件を表２に示す。
【００５７】
［評価］
各実施例及び各比較例の電動義歯ブラシ、電動歯ブラシまたは手用歯ブラシについて、中・小サイズの部分床義歯使用者、大きな部分床義歯使用者、総義歯使用者の男女各１３名（４０〜６０才代）を対象に使用実感及び汚れの落ち具合に関する調査を行った。なお、使用日数は２日間である。これら調査の評価基準を表１に、評価結果を表２に示す。
【００５８】
【表１】
2010187997.tif 000003
【００５９】
【表２】
2010187997.tif 000004
【００６０】
表２に示すように、各実施例で製造した電動義歯ブラシは、いずれも各比較例の歯ブラシに比べて、清掃部位に毛先が届き易く、容易且つ短時間に義歯の汚れを落とすことができる。特に、第１植毛部及び第２植毛部の両方が駆動機構によって駆動される実施例２〜実施例４の電動義歯ブラシは、細部における汚れの落ち具合がより良い結果となっている。さらに、実施例４の電動義歯ブラシは、駆動部を高速で運動させた場合にも洗浄剤と汚れがほとんど飛散せず、他の歯ブラシに比べて、洗浄剤と除去した汚れによる周囲の汚染が顕著に抑えられていた。
【符号の説明】
【００６１】
１Ａ、１Ｂ、１Ｃ、１Ｄ…電動義歯ブラシ  ２…第１植毛部  ３…第２植毛部  ４…本体部  ５…ハンドル部  ６…ネック部  ７…ヘッド部  ８…操作ボタン  ９…ケーシング  ９ａ…第２植毛基面(傾斜面)  ９ｂ…前端面  ９ｃ…傾斜面  １０…回動軸  １１…軸孔  １２…植毛プレート  １２ａ…第１植毛基面  １４、１５…刷毛  １６…第１操作ボタン  １７…第２操作ボタン  １８…軸孔  １９…植毛プレート  ２０…回動軸  ２１…軸孔  ２２、２３…刷毛  ２４…凹部  ２４ａ…底部  ２５…周壁部  ２５ａ…静止部用植毛基面  ２７…回動軸  ２８…軸孔  ２９…駆動部  ３０…静止部  ３１…植毛プレート  ３１ａ…可動部用植毛基面。
【図１】
2010187997.tif 000005
【図２】
2010187997.tif 000006
【図３】
2010187997.tif 000007
【図４】
2010187997.tif 000008
【図５】
2010187997.tif 000009
【図６】
2010187997.tif 000010
【図７】
2010187997.tif 000011
【図８】
2010187997.tif 000012
【図９】
2010187997.tif 000013
【図１０】
2010187997.tif 000014
【図１１】
2010187997.tif 000015
【図１２】
2010187997.tif 000016
【図１３】
2010187997.tif 000017
【図１４】
2010187997.tif 000018
【図１５】
2010187997.tif 000019
【図１６】
2010187997.tif 000020
【図１７】
2010187997.tif 000021